(57)【要約】【課題】  オーバーヘッドプロジェクタと液晶プロジェクタの両方を使用する時、スペースや操作性、電力消費量等を改善する。【解決手段】  光源１０と、光源１０の光を導いて原稿１１に照射する原稿照射光学系１２と、光を照射された原稿１１の光像をスクリーン上に結像する原稿投影レンズ系１３と、光源１０の光を組み合わせミラーで反射して液晶パネル３１，３２，３３に導くミラー光学系２０と、液晶パネルを透過して得られた光像をスクリーン上に結像する液晶投影レンズ系３４と、光源の光を原稿照射光学系１２とミラー光学系２０のいずれか一方へ導くように切り換える、光源切り換え装置４０とを備える。【選択図】図１
2007086415.tif 000002
【特許請求の範囲】
【請求項１】
光源と、
前記光源の光を導いて原稿に照射する原稿照射光学系と、
前記光を照射された原稿の光像をスクリーン上に結像する原稿投影レンズ系と、
前記光源の光を組み合わせミラーで反射して液晶パネルに導くミラー光学系と、
前記液晶パネルを透過して得られた光像を前記スクリーン上に結像する液晶投影レンズ系と、
前記光源の光を前記原稿照射光学系と前記ミラー光学系のいずれか一方へ導くように切り換える、光源切り換え装置とを備えたことを特徴とするプロジェクタ装置。
【請求項２】
請求項１に記載のプロジェクタ装置において、
前記切り換え装置と前記ミラー光学系との間に、光強度調整フィルタを配置したことを特徴とするプロジェクタ装置。
【請求項３】
請求項１に記載のプロジェクタ装置において、
前記切り換え装置を動作させて前記光源の光ビームを前記原稿照射光学系側から前記ミラー光学系側に向けた時、前記光源の発光光量をレベルダウンさせる電源装置を設けたことを特徴とするプロジェクタ装置。
【請求項４】
光源と、
前記光源の光を導いて原稿に照射する原稿照射光学系と、
前記光を照射された原稿の光像をスクリーン上に結像する原稿投影レンズ系と、
前記光源の光を組み合わせミラーで反射して液晶パネルに導くミラー光学系と、
前記液晶パネルを透過して得られた光像を前記スクリーン上に結像する液晶投影レンズ系と、
前記光源の光を前記原稿照射光学系と前記ミラー光学系の双方へ、所定の分配比で光を導くように光源の光を分配する光分配装置とを備えたことを特徴とするプロジェクタ装置。
【発明の詳細な説明】
【技術分野】
【０００１】
本発明は、オーバーヘッドプロジェクタと液晶プロジェクタの機能をもったプロジェクタ装置に関する。
【背景技術】
【０００２】
営業情報や技術情報の紹介や各種の会議では、プレゼンテーションのために、必ずといっていいほど、オーバーヘッドプロジェクタや液晶プロジェクタが使用されるようになった。特に、液晶プロジェクタの進歩はめざましく、各種の改良がなされている（特許文献１）。
【特許文献１】特開２００４−２６４８７５号公報
【発明の開示】
【発明が解決しようとする課題】
【０００３】
ここで、従来の技術には、次のような解決すべき課題があった。
液晶プロジェクタの利用度はますます高まっているものの、なお、オーバーヘッドプロジェクタの利用は無くならない。特に、比較的簡単な手書きメモ等の紹介にはオーバーヘッドプロジェクタのほうが便利なことがある。しかしながら、オーバーヘッドプロジェクタと液晶プロジェクタの両方を設備するのはスペース的な問題がある。さらに、立ち上げに時間がかかるので、両方をスタンバイ状態にしておくと、無駄な電力を消費する。本発明は以上の課題を解決するためになされたもので、光源を共用したオーバーヘッドプロジェクタと液晶プロジェクタの機能を持つプロジェクタ装置を提供することを目的とする。
【課題を解決するための手段】
【０００４】
本発明の各実施例においては、それぞれ次のような構成により上記の課題を解決する。
〈構成１〉光源と、この光源の光を導いて原稿に照射する原稿照射光学系と、上記光を照射された原稿の光像をスクリーン上に結像する原稿投影レンズ系と、上記光源の光を組み合わせミラーで反射して液晶パネルに導くミラー光学系と、上記液晶パネルを透過して得られた光像を上記スクリーン上に結像する液晶投影レンズ系と、上記光源の光を上記原稿照射光学系と上記ミラー光学系のいずれか一方へ導くように切り換える、光源切り換え装置とを備えたことを特徴とするプロジェクタ装置。
【０００５】
光源を共通にして、光源切り換え装置を使って、例えば、オーバーヘッドプロジェクタと液晶プロジェクタの両方を使い分けることができる。また、プレゼンテーション用の設備全体を小型化できる。
【０００６】
〈構成２〉構成１に記載のプロジェクタ装置において、上記切り換え装置と上記ミラー光学系との間に、光強度調整フィルタを配置したことを特徴とするプロジェクタ装置。
【０００７】
液晶パネルのミラー光学系用光源は、オーバーヘッドプロジェクタ等の原稿照射光学系用のものに比べて光量が少なくてよい。故に、光強度調整フィルタを組み込んで、光量の調整をする。これにより、ミラー光学系と原稿照射光学系の光源の共用が可能になる。また、オーバーヘッドプロジェクタと液晶プロジェクタとを自由に即座に切り換えて使用できるようになる。
【０００８】
〈構成３〉構成１に記載のプロジェクタ装置において、上記切り換え装置を動作させて上記光源の光ビームを上記原稿照射光学系側から上記ミラー光学系側に向けた時、上記光源の発光光量をレベルダウンさせる電源装置を設けたことを特徴とするプロジェクタ装置。
【０００９】
液晶パネル用の光源は光量が少なくてよいので、液晶プロジェクタ専用で使用する時は、光ビームの向きの切り換えと同時に光源の光量を落として、消費電力を低減することができる。
【００１０】
〈構成４〉光源と、この光源の光を導いて原稿に照射する原稿照射光学系と、上記光を照射された原稿の光像をスクリーン上に結像する原稿投影レンズ系と、上記光源の光を組み合わせミラーで反射して液晶パネルに導くミラー光学系と、上記液晶パネルを透過して得られた光像を上記スクリーン上に結像する液晶投影レンズ系と、上記光源の光を上記原稿照射光学系と上記ミラー光学系の双方へ、所定の分配比で光を導くように光源の光を分配する光分配装置とを備えたことを特徴とするプロジェクタ装置。
【００１１】
光源の光を分配することにより、オーバーヘッドプロジェクタと液晶プロジェクタとを同時に使用してプレゼンテーションをすることもできる。
【発明を実施するための最良の形態】
【００１２】
本発明では、オーバーヘッドプロジェクタと液晶プロジェクタとが一つの光源を共用する。光源と光学系とは、そのつど、オーバーヘッドプロジェクタ、あるいは、液晶プロジェクタの操作に適する状態にセットする。オーバーヘッドプロジェクタと液晶プロジェクタとを並行して使用することもできる。以下、本発明の実施の形態を実施例ごとに詳細に説明する。
【実施例１】
【００１３】
図１は、実施例１のプロジェクタ装置主要部を示す斜視図である。
図に示すように、このプロジェクタ装置は、右上の部分にオーバーヘッドプロジェクタを配置し、左下の部分に液晶プロジェクタ装置を配置している。光源１０の発した光ビームは、ガラス板等からなる原稿照射光学系１２の上に乗せられた透明フィルム状の原稿１１に照射される。この原稿１１を通過した光ビームは、原稿投影レンズ系１３によって図示しないスクリーンに向けて発射される。これによりそのスクリーンに光像１４が映し出される。なお、原稿照射光学系１２には、光源１０の光を導くためのレンズや反射板その他の機構を設けてよいが、ここでは直接光を導くように例示した。また、光を照射された原稿１１の光像１４は、原稿投影レンズ系１３によってスクリーン上に結像するが、原稿投影レンズ系１３は既知のレンズ系などから構成されるので、その詳細な図面は示していない。以上により、このプロジェクタ装置はオーバーヘッドプロジェクタとしての機能を持つ。
【００１４】
一方、図の光源１０から発射されたビームは、光源切り換え装置４０に設けられたミラー４３によって反射され、光学フィルタ２８を通過してミラー光学系２０に導かれる。サーボモータ４１は、回転軸４２を回転させて、ミラー４３を光源１０が発射する光ビーム上に導き、その光をミラー光学系２０方向に反射させる機能を持つ。なお、光源１０の発する光ビーム上にミラー４３を配置した時には、全ての光ビームはミラー光学系２０の方向に反射される。従って、オーバーヘッドプロジェクタとしての動作は停止する。サーボモータ４１を駆動して、ミラー４３を光源１０が発射する光ビーム上から退けると、全ての光ビームが原稿１１を照射し、オーバーヘッドプロジェクタとして動作する。
【００１５】
ミラー光学系２０に導かれた光ビームは、ミラー２１〜ミラー２５によって反射され、液晶パネル３１、液晶パネル３２、液晶パネル３３に導かれる。この光学フィルタ２８は、光源１０のビームをミラー光学系２０に導く時、光強度調整をするための光強度調整フィルタである。液晶パネル３１〜３３を動作させるには、比較的光量の少ない光源を使用すればよい。光源１０の光量が大きい場合には、光学フィルタ２８でその光強度を調整する。これにより、光源１０を点燈したままの状態で、原稿投影レンズ系１３又はミラー光学系２０に光ビームを切り換えて供給し、プレゼンテーションを続行することができる。
【００１６】
ミラー２１は、ハーフミラーである。光学フィルタ２８を通じて導かれた光ビームを、ミラー２２とミラー２３の方向に分配する。ミラー２２は反射ミラーで、ここで反射された光ビームは、液晶パネル３１に導かれる。ミラー２３は、ハーフミラーである。ミラー２１から導かれた光ビームを液晶パネル３２の方向とミラー２４の方向に分配する。ミラー２４とミラー２５は、反射ミラーである。ミラー２３から導かれた光を反射し、液晶パネル３３に導く。液晶パネル３１、液晶パネル３２、液晶パネル３３を設け、中央にプリズム３０を配置した液晶プロジェクタは、既に特許文献１等で紹介された通りのものである。プリズム３０から出力される光は、液晶投影レンズ系３４を通じて図示しないスクリーンに導かれる。スクリーン上には光像３５が結像する。この液晶プロジェクタ装置の構成は、特許文献１で示したものと同様で既存のものと変わる所はない。
【００１７】
なお、上記の光源１０は、少なくとも、原稿１１の光像をスクリーン上に結像して見ることができる光パワーがあればよい。原稿照射光学系１２やミラー光学系２０は、ミラーやフィルタあるいはレンズ等の任意の光学装置により構成されてよい。原稿投影レンズ系１３や液晶投影レンズ系３４も、任意の組み合わせレンズ等により構成されてよい。原稿１１の光像と液晶パネル３１，３２，３３を透過して得られた光像とは、スクリーンの同一位置に投影される必要はない。それぞれ物理的に分離したスクリーンに投影されても構わない。光源切り換え装置４０は、光源１０の向きを機械的に切り換える機構や、光源１０の発する光の方向をミラー等で切り換える機構のいずれを採用しても構わない。
【００１８】
図２は、実施例１のプロジェクタ装置を示す斜視図である。
図２において、本体ケース１８の内部に、液晶プロジェクタ部分とオーバーヘッドプロジェクタの一部分が格納されている。本体ケース１８の上部には原稿１１が配置され、その上方に原稿投影レンズ系１３が配置されている。これにより液晶プロジェクタの出力する光像とオーバーヘッドプロジェクタの出力する光像のいずれか、あるいは、双方をスクリーン１５上に結像させることができる。
【００１９】
以上のプロジェクタ装置は、次のように動作する。まず、液晶プロジェクタのみを使用したい時は、図１のサーボモータ４１を駆動して、ミラー４３を待避させる。これによって光源１０の発する光ビームを原稿投影レンズ系１３にのみ達するようにする。従って、光源１０により照射された原稿１１の光像１４がスクリーン１５（図２）上に結像する。一方、液晶プロジェクタ装置のみを使用したい場合には、サーボモータ４１を駆動してミラー４３により光源１０の光ビームを遮る。そして、ミラー４３でその光ビームを反射させて、光学フィルタ２８を通じてミラー２１に導く。これによって光学フィルタ２８で適当な光量に調整された光ビームが、ミラー光学系２０に導かれる。
【００２０】
液晶プロジェクタ装置は、液晶パネル３１、液晶パネル３２、液晶パネル３３に光を照射し、液晶によるカラー画像をスクリーンに結像させることができる。また、例えば液晶プロジェクタ装置を使用中に、オーバーヘッドプロジェクタ装置の使用に切り換えたり、逆に、オーバーヘッドプロジェクタの使用中に、液晶プロジェクタの使用に切り換えることがある。この時は、サーボモータ４１を駆動し、ミラー４３を進退させればよい。また、ミラー４３をハーフミラーにしておくと、オーバーヘッドプロジェクタの動作に必要な強度の光ビームがミラー４３を通過して原稿１１を照射する。また、液晶プロジェクタに必要な強度の光ビームがミラー４３で反射されてミラー２１に導かれる。こうすれば、液晶プロジェクタとオーバーヘッドプロジェクタとを同時に動作させて、例えば、スクリーンに２つの画像を結像させたり、２つの画像を重ね合せて結像させることができる。光学フィルタによって、予め所定の分配比で光を導くように、光源１０の光を分配すれば、液晶プロジェクタもオーバーヘッドプロジェクタも最適の光量で動作する。
【００２１】
なお、ミラー光学系２０を構成するミラー２１〜ミラー２５が、適度に光を減衰させる機能を持っていれば、光学フィルタ２８を設ける必要はない。以上のように、液晶プロジェクタとオーバーヘッドプロジェクタとが一体化されるため、十分にスペース的なメリットが得られる。また、オーバーヘッドプロジェクタと液晶プロジェクタとを交互に並行使用する場合に、２つの光源をオンし、スタンバイ状態にさせておくよりも、電力消費を少なくできる。また、オーバーヘッドプロジェクタと液晶プロジェクタのいずれか一方のみを使用するような場合に、予め光源１０の発光強度を使用状態に合せて切り換えるようにできれば、消費電力を抑制できる。
【実施例２】
【００２２】
図３は、実施例２のプロジェクタ装置の回路ブロック図である。
図に示すように、光源１０を駆動するために電源装置４５が設けられている。また、図１に示したサーボモータ４１などを含む光源切り換え装置４４に対し、切り換えのための信号を入力する操作スイッチ４６が設けられている。操作スイッチ４６を例えば、オンにすると、オーバーヘッドプロジェクタ装置を使用する状態になり、オフにすると、液晶プロジェクタ装置を使用する状態になる。操作スイッチ４６によってオーバーヘッドプロジェクタを動作させる場合には、その制御信号が光源切り換え装置４４に入力する。
【００２３】
これにより、図１に示したサーボモータ４１が駆動されて、ミラー４３が待避され、光源１０の光ビームが原稿１１に照射される。この時、電源装置４５は、光源１０に対してフルパワーで電力を供給する。一方、操作スイッチ４６を操作して液晶プロジェクタを動作させようとする場合、その制御信号が光源切り換え装置４４に入力する。この時、サーボモータ４１は、ミラー４３を光源１０の光ビーム中に挿入する。光源１０の光ビームは、原稿照射光学系１２側からミラー光学系２０側に向けられる。なお、この実施例では、光学フィルタを必要としない。電源装置４５に対し、操作スイッチ４６の制御信号が入力すると、電源装置４５は出力電圧をダウンさせる。そして、光源１０の発光光量をレベルダウンさせる。これによって光学フィルタを使用することなく、低い光量のビームがミラー光学系２０に供給される。
【実施例３】
【００２４】
図４は、図１に示したミラー４３の機能比較図である。
図４（ａ）に示すように、ミラー４３が単なる反射ミラーであれば、既に説明した通り、光源１０の光ビーム５０を原稿照射光学系１２の原稿１１の方向、若しくは、ミラー光学系２０のミラー２１の方向のいずれか一方へのみ供給する。これに対して図４（ｂ）に示すように、ミラー４３がハーフミラーであれば、原稿１１に対し所定の光量の光ビームを照射すると共に、ミラー２１の方向に十分レベルダウンされた光ビームが照射される。即ち、ミラー４３は、光源の光を原稿照射光学系とミラー光学系の双方へ、所定の分配比で光を導くように光源の光を分配する光分配装置として機能する。この分配比は、予め各光学系の特性に従って最適値に選定されるとよい。これによってオーバーヘッドプロジェクタと液晶プロジェクタとを同時に使用してプレゼンテーションをすることができる。
【図面の簡単な説明】
【００２５】
【図１】実施例１のプロジェクタ装置主要部を示す斜視図。
【図２】実施例１のプロジェクタ装置を示す斜視図。
【図３】実施例２のプロジェクタ装置の回路ブロック図。
【図４】ミラーの機能比較図。
【符号の説明】
【００２６】
１０  光源、１１  原稿、１２  原稿照射光学系、１３  原稿投影レンズ系、１５  スクリーン、２０  ミラー光学系、２１  ミラー、２２  ミラー、２３  ミラー、２４  ミラー、２５  ミラー、２８  光学フィルタ、３０  プリズム、３４  液晶投影レンズ系、１４  光像、３１  液晶パネル、３２  液晶パネル、３３  液晶パネル、３５  光像、４０  光源切り換え装置、４１  サーボモータ、４２  回転軸、４３  ミラー。
【図１】
2007086415.tif 000003
【図２】
2007086415.tif 000004
【図３】
2007086415.tif 000005
【図４】
2007086415.tif 000006